(57)【要約】  モバイル装置接続を提供するための方法、システムおよびコンピュータ可読媒体が開示される。システムは、１つ以上のプロセッサ上で実装されたモバイルゲートウェイを含む。モバイルゲートウェイは、モバイルユーザ装置のモバイルデータセッションを確立し、モバイルユーザ装置間の通信を可能にするように構成されたオンプレミス通信ネットワークコアを含む。モバイルゲートウェイは、モバイルユーザ装置を外部通信ネットワークに接続するためのＳＤ−ＷＡＮオーバーレイネットワークを確立するように構成されたソフトウェア定義広域ネットワーク（ＳＤ−ＷＡＮ）コントローラを含む。
2021534692.tif 000002
【特許請求の範囲】
【請求項１】
モバイル装置接続を提供するためのシステムであって、
１つ以上のプロセッサと、
前記プロセッサ用の実行可能な命令を記憶するためのメモリと、
前記１つ以上のプロセッサ上で実装されたモバイルゲートウェイとを備え、
前記モバイルゲートウェイは、
複数のモバイルユーザ装置のモバイルデータセッションを確立し、前記モバイルユーザ装置間の通信を可能にするように構成されたオンプレミス通信ネットワークコアと、
前記モバイルユーザ装置を外部通信ネットワークに接続するためのＳＤ−ＷＡＮオーバーレイネットワークを確立するように構成されたソフトウェア定義広域ネットワーク（ＳＤ−ＷＡＮ）コントローラとを含む、システム。
【請求項２】
前記モバイルゲートウェイは、セッションボーダコントローラ（ＳＢＣ）を含む、請求項１に記載のシステム。
【請求項３】
前記ＳＢＣは、オンプレミスアクセスネットワークと集中型コントローラを含む遠隔システムとの間のエッジに位置する通信制御プレーンの信号を制御するように構成される、請求項２に記載のシステム。
【請求項４】
前記ＳＤ−ＷＡＮコントローラは、サービスゲートウェイを含む遠隔システムと共に、データ通信ネットワークを介してトンネルを確立するように構成され、
前記モバイルゲートウェイは、前記トンネルを介して前記遠隔システムと制御信号を交換することによって、前記モバイルデータセッションを確立するように構成される、先行する請求項のいずれか１項に記載のシステム。
【請求項５】
前記モバイルゲートウェイは、前記ＳＤ−ＷＡＮオーバーレイネットワークを用いて、前記モバイルユーザ装置のサービス品質（ＱｏＳ）およびルート最適化を提供するように構成される、先行する請求項のいずれか１項に記載のシステム。
【請求項６】
前記ＳＤ−ＷＡＮオーバーレイネットワークを用いて前記モバイルユーザ装置のＱｏＳおよびルート最適化を提供することは、前記モバイルデータセッションに優先順位を付け、前記モバイルデータセッションの優先順位に従ってＱｏＳを維持するように、前記ＳＤ−ＷＡＮオーバーレイネットワークを介して前記モバイルデータセッションを再ルーティングすることを含む、請求項５に記載のシステム。
【請求項７】
前記オンプレミス通信コアは、パケットデータネットワーク（ＰＤＮ）ゲートウェイ（ＰＧＷ）を含む、先行する請求項のいずれか１項に記載のシステム。
【請求項８】
前記オンプレミス通信コアは、移動性管理エンティティ（ＭＭＥ）、サービングゲートウェイ（ＳＧＷ）、ホーム加入者サーバ（ＨＳＳ）、およびアクセスネットワーク発見および選択機能（ＡＮＤＳＦ）を備える進化型パケットコア（ＥＰＣ）を含む、請求項７に記載のシステム。
【請求項９】
前記オンプレミス通信コアは、アクセス管理機能（ＡＭＦ）、セッション管理機能（ＳＭＦ）、およびユーザプレーン機能（ＵＰＦ）を備える５Ｇコアを含む、先行する請求項のいずれか１項に記載のシステム。
【請求項１０】
前記ＳＤ−ＷＡＮコントローラは、前記ＳＭＦと協働して、モバイル接続制御およびポリシーを管理するように構成される、請求項９に記載のシステム。
【請求項１１】
モバイル装置接続を提供するための方法であって、
１つ以上のプロセッサ上で実装されたモバイルゲートウェイにおいて、
前記モバイルゲートウェイのオンプレミス通信ネットワークコアを用いて、複数のモバイルユーザ装置のモバイルデータセッションを確立し、前記オンプレミス通信ネットワークコアを介して前記モバイルユーザ装置間の通信を可能にすることと、
ソフトウェア定義広域ネットワーク（ＳＤ−ＷＡＮ）コントローラを用いて、前記モバイルユーザ装置を外部通信ネットワークに接続するためのＳＤ−ＷＡＮオーバーレイネットワークを確立することとを含む、方法。
【請求項１２】
前記モバイルゲートウェイは、セッションボーダコントローラ（ＳＢＣ）を含む、請求項１１に記載の方法。
【請求項１３】
前記方法は、前記ＳＢＣを用いて、オンプレミスアクセスネットワークと集中型コントローラを含む遠隔システムとの間のエッジに位置する通信制御プレーンの信号を制御することを含む、請求項１２に記載の方法。
【請求項１４】
前記ＳＤ−ＷＡＮコントローラを用いて、サービスゲートウェイを含む遠隔システムと共に、データ通信ネットワークを介してトンネルを確立することと、
前記トンネルを介して前記遠隔システムと制御信号を交換することによって、前記モバイルデータセッションを確立することとを含む、請求項１１から１３のいずれか１項に記載の方法。
【請求項１５】
前記ＳＤ−ＷＡＮオーバーレイネットワークを用いて、前記モバイルユーザ装置のサービス品質（ＱｏＳ）およびルート最適化を提供することを含む、請求項１１から１４のいずれか一項に記載の方法。
【請求項１６】
前記ＳＤ−ＷＡＮオーバーレイネットワークを用いて前記モバイルユーザ装置のＱｏＳおよびルート最適化を提供することは、前記モバイルデータセッションに優先順位を付け、前記モバイルデータセッションの優先順位に従ってＱｏＳを維持するように、前記ＳＤ−ＷＡＮオーバーレイネットワークを介して前記モバイルデータセッションを再ルーティングすることを含む、請求項１５に記載の方法。
【請求項１７】
前記オンプレミス通信コアは、パケットデータネットワーク（ＰＤＮ）ゲートウェイ（ＰＧＷ）を含む、請求項１１から１６のいずれか１項に記載の方法。
【請求項１８】
前記オンプレミス通信コアは、アクセス管理機能（ＡＭＦ）、セッション管理機能（ＳＭＦ）、およびユーザプレーン機能（ＵＰＦ）を備える５Ｇコアを含む、請求項１１から１７のいずれか１項に記載の方法。
【請求項１９】
前記ＳＤ−ＷＡＮコントローラを用いて、前記ＳＭＦと共に、モバイル接続制御およびポリシーを管理することを含む、請求項１８に記載の方法。
【請求項２０】
コンピュータ実行可能な命令を含む非一時的なコンピュータ可読媒体であって、前記非一時的なコンピュータ可読媒体に具現化された前記命令は、少なくとも１つのコンピュータの少なくとも１つのプロセッサによって実行されると、少なくとも１つのコンピュータに、以下のステップ、すなわち、
１つ以上のプロセッサ上で実装されたモバイルゲートウェイにおいて、
前記モバイルゲートウェイのオンプレミス通信ネットワークコアを用いて、複数のモバイルユーザ装置のモバイルデータセッションを確立し、前記オンプレミス通信ネットワークコアを介して前記モバイルユーザ装置間の通信を可能にするステップと、
ソフトウェア定義広域ネットワーク（ＳＤ−ＷＡＮ）コントローラを用いて、前記モバイルユーザ装置を外部通信ネットワークに接続するためのＳＤ−ＷＡＮオーバーレイネットワークを確立するステップとを実行させる、非一時的なコンピュータ可読媒体。
【発明の詳細な説明】
【技術分野】
【０００１】
優先権主張
本願は、２０１９年５月２日に提出された米国特許出願１６／４０２２１４および２０１８年８月２４日に提出された米国特許仮出願６２／７２２６３５の利益を主張し、各開示の全体が参照により本明細書に組み込まれる。
【０００２】
技術分野
本開示の主題は、モバイル装置接続を提供するための方法およびシステムに関する。より具体的には、本開示の主題は、ソフトウェア定義広域ネットワーク（ＳＷ−ＷＡＮ）オーバーレイを用いてモバイル装置をアンカーするための方法、システムおよびコンピュータ可読媒体に関する。
【背景技術】
【０００３】
背景
第３世代パートナーシッププロジェクト（３ＧＰＰ）は、電気通信規格業界のグループ間の連携である。３ＧＰＰは、３Ｇ、４ＧおよびＬＴＥ（ロングタームエボリューション）ネットワークを含む通信ネットワークのモバイルフォンシステム仕様を規定している。３ＧＰＰの次世代ネットワークは、５Ｇネットワークである。５Ｇ仕様は、データレートの向上、遅延の減少、エネルギーの節約、コストの削減、システム容量の増加、および接続装置数の増加を目標としている。
【０００４】
いくつかの従来ネットワークの移動性は、１つの集中型アンカーポイントに依存し、全てのトラフィックがこのアンカーポイントを出入りすることを必要とする。いくつかのシステムは、ユーザプレーンを配布する解決策を含むが、これらの解決策は、通常、静的接続で実装され、費用がかかる。
【０００５】
例えば、マルチプロトコルラベルスイッチング（ＭＰＬＳ）リンクは、費用がかかり、すぐに過剰加入になる。ＭＰＬＳは、サービスプロバイダおよび企業によって広く利用され、広域ネットワーク（ＷＡＮ）を構築する。ＭＰＬＳは、第２層と第３層との間に存在し、複数のトランスポートをサポートする。ネットワークのエッジに位置するＭＰＬＳ装置は、着信パケットを受信し、ルート検索を行う。ＭＰＬＳ装置は、パケットの宛先までの完全経路を決定し、経路をパケットに付加する。これによって、後続の装置は、追加のルート検索を行う必要がなく、パケットを転送することができる。しかしながら、インターネットの使用は、信頼できないことがあり、しばしば混雑する。
【０００６】
したがって、モバイル装置接続を提供するための方法、システムおよびコンピュータ可読媒体が必要である。
【発明の概要】
【０００７】
概要
モバイル装置接続を提供するための方法、システムおよびコンピュータ可読媒体が開示される。システムは、１つ以上のプロセッサ上で実装されたモバイルゲートウェイを含む。モバイルゲートウェイは、モバイルユーザ装置のモバイルデータセッションを確立し、モバイルユーザ装置間の通信を可能にするように構成されたオンプレミス通信ネットワークコアを含む。モバイルゲートウェイは、モバイルユーザ装置を外部通信ネットワークに接続するためのＳＤ−ＷＡＮオーバーレイネットワークを確立するように構成されたソフトウェア定義広域ネットワーク（ＳＤ−ＷＡＮ）コントローラを含む。
【０００８】
方法は、１つ以上のプロセッサ上で実装されたモバイルゲートウェイにおいて、モバイルゲートウェイのオンプレミス通信ネットワークコアを用いて、複数のモバイルユーザ装置のモバイルデータセッションを確立し、オンプレミス通信ネットワークコアを介してモバイルユーザ装置間の通信を可能にすることを含む。方法は、ソフトウェア定義広域ネットワーク（ＳＤ−ＷＡＮ）コントローラを用いて、モバイルユーザ装置を外部通信ネットワークに接続するためのＳＤ−ＷＡＮオーバーレイネットワークを確立することを含む。
【０００９】
いくつかの例において、モバイルゲートウェイは、セッションボーダコントローラ（ＳＢＣ）含む。ＳＢＣは、オンプレミスアクセスネットワークと集中型コントローラを含む遠隔システムとの間のエッジに位置する通信制御プレーンの信号を制御するように構成されてもよい。
【００１０】
いくつかの例において、ＳＤ−ＷＡＮコントローラは、サービスゲートウェイを含む遠隔システムと共に、データ通信ネットワークを介してトンネルを確立するように構成され、モバイルゲートウェイは、当該トンネルを介して遠隔システムと制御信号を交換することによって、モバイルデータセッションを確立するように構成される。
【００１１】
いくつかの例において、モバイルゲートウェイは、ＳＤ−ＷＡＮオーバーレイネットワークを用いて、モバイルユーザ装置のサービス品質（ＱｏＳ）およびルート最適化を提供するように構成される。ＳＤ−ＷＡＮオーバーレイネットワークを用いてモバイルユーザ装置のＱｏＳおよびルート最適化を提供することは、モバイルデータセッションに優先順位を付け、モバイルデータセッションの優先順位に従ってＱｏＳを維持するように、ＳＤ−ＷＡＮオーバーレイネットワークを介してモバイルデータセッションを再ルーティングすることを含むことができる。
【００１２】
いくつかの例において、オンプレミス通信コアは、パケットデータネットワーク（ＰＤＮ）ゲートウェイ（ＰＧＷ）を含む。オンプレミス通信コアは、移動性管理エンティティ（ＭＭＥ）、サービングゲートウェイ（ＳＧＷ）、ホーム加入者サーバ（ＨＳＳ）、およびアクセスネットワーク発見および選択機能（ＡＮＤＳＦ）を備える進化型パケットコア（ＥＰＣ）を含むことができる。
【００１３】
いくつかの例において、オンプレミス通信コアは、アクセス管理機能（ＡＭＦ）、セッション管理機能（ＳＭＦ）、およびユーザプレーン機能（ＵＰＦ）を備える５Ｇコアを含む。ＳＤ−ＷＡＮコントローラは、ＳＭＦと協働して、モバイル接続制御およびポリシーを管理するように構成されてもよい。
【００１４】
本開示の主題は、ソフトウェアとハードウェアおよび／またはファームウェアとの組み合わせに実装されてもよい。例えば、本開示の主題は、プロセッサによって実行されるソフトウェアに実装されてもよい。１つの例示的な実装例において、本開示の主題は、コンピュータ実行可能な命令を記憶するコンピュータ可読媒体を用いて実装されてもよい。これらの命令は、コンピュータのプロセッサによって実行されると、ステップを実行するようにコンピュータを制御する。本開示の主題を実装するのに適した例示的なコンピュータ可読媒体は、ディスクメモリ素子、チップメモリ素子、プログラム可能なロジック素子、および特定用途向け集積回路などの非一時的な素子を含む。さらに、本開示の主題を実装するコンピュータ可読媒体は、単一の装置またはコンピューティングプラットフォーム上に配置されてもよく、または複数の装置またはコンピューティングプラットフォームにわたって分散されてもよい。
【図面の簡単な説明】
【００１５】
【図１Ａ】モバイル装置接続を提供するための例示的なコンピュータシステムを示すブロック図である。
【図１Ｂ】ＥＰＣを含む例示的な通信コアを示すブロック図である。
【図１Ｃ】５Ｇネットワークの例示的な通信コアを示すブロック図である。
【図２】例示的なセッションボーダコントローラ２００を示すブロック図である。
【図３】例示的な通信環境を示す図である。
【図４】通信ネットワークの例示的な通信環境を示す図である。
【図５】モバイル装置接続を提供するための例示的な方法を示す流れ図である。
【発明を実施するための形態】
【００１６】
詳細な説明
本開示の主題は、モバイル装置接続を提供するための方法およびシステムに関する。より具体的には、本開示の主題は、ソフトウェア定義広域ネットワーク（ＳＷ−ＷＡＮ）オーバーレイを用いてモバイル装置をアンカーするための方法、システムおよびコンピュータ可読媒体に関する。
【００１７】
システムは、ポリシー駆動の動的ＳＤ−ＷＡＮオーバーレイを用いて互いに接続される１つ以上のモバイルゲートウェイおよび／またはプライベートネットワークおよび／または公衆ネットワーク（例えば、インターネット）に接続される１つ以上のモバイルゲートウェイを介して、モバイルユーザ機器のサービス品質（ＱｏＳ）およびルーチン最適化を提供することができる。例えば、通信業者または企業は、モバイルネットワークを確立するときに、このシステムを使用して、安価な接続を可能にする。また、このシステムは、例えば、モバイルデータフローをルーティングするための移動性および品質を決定するために使用されるローカルポリシー、企業ポリシー、またはネットワーク認識ポリシーに使用されてもよい。
【００１８】
動作中、モバイルゲートウェイを接続するＳＤ−ＷＡＮオーバーレイネットワークの直接知識を利用して、確立した標準的なモバイルデータセッションを強化することによって、プライベートネットワークまたはパブリックネットワークへの最適な接続および送受信を決定することができる。ＳＤ−ＷＡＮオーバーレイネットワークは、本質的に動的であり、ＱｏＳ要件に関するポリシーによって駆動されてもよい。
【００１９】
図１Ａは、モバイル装置接続を提供するための例示的なコンピュータシステム１００を示すブロック図である。システム１００は、１つ以上のプロセッサ１０２と、プロセッサ１０２用の命令を記憶するためのメモリ１０４とを含む。
【００２０】
システム１００は、プロセッサ１０２上に実装されたモバイルゲートウェイ１０６を含む。モバイルゲートウェイ１０６は、モバイルユーザ装置のモバイルデータセッションを確立し、オンプレミス通信ネットワークコア１０８を介してモバイルユーザ装置間の通信を可能にするように構成されたオンプレミス通信ネットワークコア１０８を含む。また、モバイルゲートウェイ１０６は、モバイルユーザ装置を外部通信ネットワークに接続するためのＳＤ−ＷＡＮオーバーレイネットワークを確立するように構成されたソフトウェア定義広域ネットワーク（ＳＤ−ＷＡＮ）コントローラを含む。
【００２１】
ＳＤ−ＷＡＮは、企業が現在のネットワーク状態に基づいて、ハイブリッドＷＡＮを介してトラフィックを動的にルーティングすることを可能にするサービスとして動作することができる。従来のルータの代わりに、ＳＤ−ＷＡＮは、性能に基づいて異なるトランスポート技術を評価および利用することができる。したがって、企業は、費用効率の良いサービスを介して、殆どのトラフィックをルーティングすることができる。ＳＤ−ＷＡＮは、事業所に設置されたＷＡＮエッジ装置に配置されてもよく、装置は、ネットワーク要件の変更に応じて更新され得るアプリケーションポリシーおよびセキュリティ規則に基づくルーティングと共に集中的に管理されてもよい。
【００２２】
いくつかの例において、モバイルゲートウェイ１０６は、セッションボーダコントローラ（ＳＢＣ）であるまたはＳＢＣを含む。例えば、ＳＢＣは、オンプレミスアクセスネットワークと集中型コントローラを備える遠隔システムとの間のエッジに位置する通信制御プレーンの信号を制御するように構成されてもよい。ＳＢＣによって、サービスプロバイダは、セキュリティ、相互運用性、信頼性および品質、規制コンプライアンス、および収益／コスト最適化などの機能を提供することによって、インターネットプロトコル（ＩＰ）ネットワークボーダを介してリアルタイム通信サービスを提供することができる。
【００２３】
ＳＤ−ＷＡＮコントローラ１１０は、サービスゲートウェイを含む遠隔システムと共に、データ通信ネットワークを介してトンネルを確立するように構成されてもよい。モバイルゲートウェイ１０６は、トンネルを介して遠隔システムと制御信号を交換することによって、モバイルデータセッションを確立するように構成されてもよい。
【００２４】
いくつかの例において、モバイルゲートウェイ１０６は、ＳＤ−ＷＡＮオーバーレイネットワークを用いて、モバイルユーザ装置のＱｏＳおよびルート最適化を提供するように構成される。ＳＤ−ＷＡＮオーバーレイネットワークを用いて、モバイルユーザ装置のＱｏＳおよびルート最適化を提供することは、モバイルデータセッションに優先順位を付け、モバイルデータセッションの優先順位に従ってＱｏＳを維持するように、ＳＤ−ＷＡＮオーバーレイネットワークを介してモバイルデータセッションを再ルーティングすることを含むことができる。
【００２５】
オンプレミス通信コア１０８は、例えば、パケットデータネットワーク（ＰＤＮ）ゲートウェイ（ＰＧＷ）を含むことができる。いくつかの例において、オンプレミス通信コア１０８は、完全コアネットワーク、例えば、進化型パケットコア（ＥＰＣ）を含む。ＥＰＣは、移動性管理エンティティ（ＭＭＥ）、サービングゲートウェイ（ＳＧＷ）、ホーム加入者サーバ（ＨＳＳ）、およびアクセスネットワーク発見および選択機能（ＡＮＤＳＦ）などのシステム要素を含むことができる。いくつかの例において、オンプレミス通信コア１０８は、アクセス管理機能（ＡＭＦ）、セッション管理機能（ＳＭＦ）、およびユーザプレーン機能（ＵＰＦ）を備える５Ｇコアを含む。ＳＤ−ＷＡＮコントローラ１１０は、ＳＭＦと協働して、モバイル接続制御およびポリシーを管理するように構成されてもよい。
【００２６】
図１Ｂは、ＥＰＣを含む例示的な通信コア１０８を示すブロック図である。通信コア１０８は、ＰＧＷ１２０、ＭＭＥ１２２、ＳＧＷ１２４、ＨＳＳ１２６、およびＡＮＤＳＦ１２８を含む。
【００２７】
ＰＧＷ１２０は、インターネット、インターネットプロトコルマルチメディアサブシステム（ＩＭＳ）ネットワーク、または他のデータネットワークへのアクセスを提供するように構成される。例えば、ＰＧＷ１２０は、ＳＧＷ１２４と通信することによって、アプリケーション機能（ＡＦ）サーバまたは他のサーバとの通信を提供することができる。
【００２８】
いくつかの例において、ＰＧＷ１２０は、ポリシーおよび課金実行機能（ＰＣＥＦ）を含み、ポリシーおよび課金規則機能（ＰＣＲＦ）によって提供されたポリシーおよび課金制御（ＰＣＣ）規則を管理および実行することができる。例えば、ＰＣＣ規則は、各サービスデータフロー（特定の基準に合致する１つ以上のパケットフロー、例えば、加入者に基づくメディアトラフィックフロー）および／またはＰＧＷ１２０の使用を試みるユーザ機器に対して提供されてもよい。
【００２９】
ＭＭＥ１２２は、無線アクセスネットワーク（例えば、ロングタームエボリューション（ＬＴＥ）アクセスネットワーク）の一次制御ノードとして作用し、伝達のアクティブ化／非アクティブ化処理および初期接続段階を支援するように構成される。ＭＭＥ１２２は、ユーザ機器から発信されるセッション構成要求メッセージの受信に応答して、セッション作成要求メッセージを生成するように構成されてもよい。ＭＭＥ１２０は、セッション作成要求メッセージを生成した後、ＳＧＷ１２４を介して、メッセージをＰＧＷ１２０に送信するように構成されてもよい。
【００３０】
ＳＧＷ１２４は、アクセスネットワークと他のノード（例えば、ＰＧＷ１２０）またはネットワークとの間の通信を容易にするように構成される。例えば、ＳＧＷ１２４は、ユーザトラフィックを通信コア１０８内の他のノードに送信することができる。
【００３１】
ＨＳＳ１２６は、コールおよびセッションを処理するＩＭＳネットワークエンティティをサポートするマスタユーザデータベースである。ＨＳＳ１２６は、ユーザプロファイルを含み、ユーザの認証および認可を実行することができ、ユーザの物理位置に関する情報を提供することができる。
【００３２】
ＡＮＤＳＦ１２８は、ユーザ機器を支援して、データ通信に使用することができる他のアクセスネットワーク、例えば、Ｗｉ−Ｆｉ（登録商標）ネットワークまたはＷＩＭＡＸ（登録商標）ネットワークを発見するように構成される。また、ＡＮＤＳＦ１２８は、他のアクセスネットワークへの接続を規制するポリシーをユーザ機器に提供するように構成される。
【００３３】
図１Ｃは、５Ｇネットワークの例示的な通信コア１０８を示すブロック図である。通信コア１０８は、ＡＭＦ１４０と、ＳＭＦ１４２と、ＵＰＦ１４４とを含む。
【００３４】
３ＧＰＰは、その次世代５Ｇコアネットワークのサービスベースアーキテクチャを定義している。サービスベースアーキテクチャにおいて、サービスは、典型的には、データ通信ネットワーク上の通信プロトコルを介して、アプリケーションコンポーネントによってソフトウェアコンポーネントに提供される。サービスは、例えば、システム内の他のサービスから独立して遠隔からアクセスされ、消費および更新され得る離散機能であってもよい。異なるサービスを同時に使用して、より大きな機能システム、例えばソフトウェアアプリケーションを提供することができる。サービスベースアーキテクチャは、分散され且つ別々に維持されたソフトウェアコンポーネントを統合することができる。
【００３５】
ＡＭＦ１４０は、例えば、登録管理、接続管理、到達性管理、および移動性管理をサポートするように構成される。ＡＭＦ１４０は、セキュリティおよびアクセス管理および許可に関連する様々な機能をサポートするように構成することができる。
【００３６】
ＳＭＦ１４２は、セッション管理、例えば、セッションの確立、変更および解放をサポートするように構成される。ＳＭＦ１４２は、ユーザ機器のＩＰアドレスの割り当ておよび管理、動的ホスト構成プロトコル（ＤＦＩＣＰ）機能、およびセッション管理に関連する信号の中止をサポートするように構成されてもよい。
【００３７】
ＵＰＦ１４４は、パケットのルーティングおよび転送、パケットの検査、サービス品質（ＱｏＳ）の処理をサポートするように構成される。いくつかの例において、ＵＰＦ１４４は、相互接続を行うための外部セッションポイントおよび無線アクセス移動性を行うためのアンカーポイントとして機能するように構成される。
【００３８】
５Ｇネットワーク機能の他の例として、ネットワークスライス選択機能（ＮＳＳＦ）、ネットワーク露出機能（ＮＥＦ）、ネットワークリポジトリ機能（ＮＲＦ）、ポリシー制御機能（ＰＣＦ）、データ一元管理（ＵＤＭ）機能、アプリケーション機能（ＡＦ）、セキュリティエッジ保護プロキシ（ＳＥＰＰ）、認証サーバ機能（ＡＵＳＦ）、およびブートストラップサーバ機能（ＢＳＦ）が挙げられる。
【００３９】
図２は、例示的なセッションボーダコントローラ２００を示すブロック図である。例えば、ＳＤ−ＷＡＮコントローラ１１０をセッションボーダコントローラ２００に追加することによって、セッションボーダコントローラ２００は、図１Ａのモバイルゲートウェイ１０６を構成することができる。
【００４０】
セッションボーダコントローラ２００によって、サービスプロバイダは、ＩＰネットワークボーダを介して信頼できる第１クラスのリアルタイム通信サービスを提供することができる。セッションボーダコントローラ２００は、ＶｏＩＰ（Voice over IP）に基づいたサービスからＩＭＳによって有効化された任意のサービス、例えば、ＶｏＬＴＥ（Voice over LTE）、ＶｏＷｉＦｉ（Wi-Fi（登録商標）calling）、ビデオ会議および電話、出席、インスタントメッセージング、ＩＰテレビ（ＩＰＴＶ）、ＧＳＭ（登録商標）協会のＩＰ交換（ＩＰＸ）、およびフェムトセルまたはＷｉ−Ｆｉ（登録商標）対応固定モバイル収束までの様々なサービスおよびアプリケーションを提供するための収束型ＩＭＳエンジン２０２を含む。セッションボーダコントローラ２００は、様々な種類のＩＰネットワークにおいて、これらの特徴に対して、制御機能／特徴、プロトコルサポート、プログラム化可能性、および管理可能性を提供する。
【００４１】
セッションボーダコントローラ２００は、ビジネスサービス２０４、例えば、セッション開始プロトコル（ＳＩＰ）トランク、ホスト型統合通信（ＵＣ）、およびホスト型コンタクトセンタ（ＣＣ）を含むことができる。セッションボーダコントローラ２００は、相互接続およびローミング機能２０６、例えば、ＳＩＰ相互接続、ＶｏＬＴＥローミング、およびＩＰＸ相互接続を提供することができる。セッションボーダコントローラ２００は、サービスプロバイダが、ＩＰネットワークを介して、例えば、ＯＴＴボイス、ビデオ、およびメッセージングなどの通信サービスを提供することを可能にするＴｅｌｃｏ  ＯＴＴ（Over-The-Top）機能２０８を含むことができる。セッションボーダコントローラ２００は、安全な異種ネットワーク（ＨｅｔＮｅｔ）機能２１０、例えば、スモールセル、ＷｉＦｉオフロード、およびＷｉ−Ｆｉ電話を含むことができる。
【００４２】
動作中、セッションボーダコントローラ２００は、少なくとも５つの主要な領域、すなわち、セキュリティ、相互運用性、信頼性および品質、規制コンプライアンス、および収益／コスト最適化におけるクリティカルサービスプロバイダ要件を満たすように構成される。
【００４３】
セキュリティ
セッションボーダコントローラ２００は、リアルタイム通信用のセキュリティフレームワークを用いて、サービスプロバイダアクセスおよび相互接続／ピアリングボーダを保護する。いくつかの例において、セキュリティフレームワークとアドバンスドハードウェアとの緊密な結合によって、セッションボーダコントローラ２００は、様々な悪意の脅威および非悪意の脅威から、それ自体、サービス提供インフラストラクチャ、および通信セッションを保護することができる。セッションボーダコントローラ２００は、セキュリティフレームワークを用いて、リアルタイム双方向通信サービスの機密性、完全性、および利用可能性を保証する。セッションボーダコントローラ２００は、サービスを使用する加入者および事業者に連続性および高品質を保証しながら、攻撃を予防し、脆弱性を排除し、発生するイベントに対抗するための強力な緩和策を適用する。
【００４４】
相互運用性
セッションボーダコントローラ２００のＳＩＰ、Ｈ．３２３およびＳＩＰ−Ｈ．３２３相互運用能力は、ピアリングネットワークおよびＳＩＰ／Ｈ．３２３基幹企業ネットワーク内の加入者エンドポイント、ソフトスイッチ、ＩＭＳコールセッション制御機能（ＣＳＣＦ）要素、アプリケーションサーバ、メディアおよび記録サーバ、メディアゲートウェイ、およびＳＢＣの間の相互運用性を保証することによって、サービス範囲を最大化するように設計される。セッションボーダコントローラ２００によって、セッションは、ネットワークアドレス変換（ＮＡＴ）／ファイアウォール、ＩＰｖ４またはＩＰｖ６ネットワーク、重複ＩＰアドレスを使用するパブリックネットワークまたはプライベートネットワーク、および仮想プライベートネットワーク（ＶＰＮ）をトラバースすることができる。いくつかの例において、セッションボーダコントローラ２００は、異なるシグナリングプロトコル、トランスポートプロトコルおよび暗号化プロトコル間で仲介し、互換性のないコーデックを変換し、シグナリング層電話番号、アドレスおよび応答コードを変換する。
【００４５】
信頼性および品質
セッションボーダコントローラ２００によって、サービスプロバイダは、サービス利用可能性およびユーザの体験品質を保証することができる。いくつかの例において、セッションボーダコントローラ２００は、ローカルポリシーサーバまたは外部ポリシーサーバを介して承認制御を実行することによって、高品質通信をサポートする能力をネットワークおよびサービスインフラストラクチャの両方に与える。また、セッションボーダコントローラ２００は、実際のセッション品質を監視および報告することによって、サービスプロバイダ間のサービスレベル合意（ＳＬＡ）に記載されている性能仕様とのコンプライアンスを判断する。インテリジェントセッションルーティングおよび高利用可能性構成は、上りリンクの障害または機器の問題によって引き起こされた停止を最小化する。
【００４６】
規制コンプライアンス
セッションボーダコントローラ２００は、Ｅ９１１などの国家緊急事態サービス、政府緊急事態通信サービス（ＧＥＴＳ）などの国家安全保障および緊急事態対策サービスを含む世界中の政府規制法令、および米国に施行された法執行のための通信援助法（ＣＡＬＥＡ）および他の国家において施行された同様の法律による法的傍受をサポートするように構成されてもよい。
【００４７】
収益およびコスト最適化
セッションボーダコントローラ２００の支援によって、サービスプロバイダは、必要に応じて、多くのＩＭＳ機能を統合することによって、例えば、コストを最小化するようにセッションを最適にルーティングすることによって、請求可能なセッションを最大化するように会計および関連メカニズムを提供することによって、および帯域幅の盗用およびサービス品質（ＱｏＳ）を保護することによって、コストを制御することができ、収益を増加することができる。セッションボーダコントローラ２００は、様々な種類および規模のサービスプロバイダに必要とされた性能、容量、およびスループットを提供するように構成されてもよい。いくつかの例において、セッションボーダコントローラ２００は、最先端のハードウェアを活用して、特定の目的のために構築されたプラットフォームファミリにわたって対称的なマルチ処理を行うことができる。これによって、セッションボーダコントローラ２００は、単一のシャシ（chassis）上で最大１００万の加入者をサポートするようにスケーリングすることができ、例えばロードバランサによって制御されるＳＢＣクラスタ上で動作する大規模に実現可能なアクセスネットワークをサポートすることができる。
【００４８】
セッションボーダコントローラ２００は、サービスの需要に応じて、アクセスＳＢＣ（Ａ−ＳＢＣ）、相互接続ＳＢＣ（Ｉ−ＳＢＣ）、またはその両方として構成されてもよい。いくつかの例において、セッションボーダコントローラ２００は、アクセスおよび相互接続機能を単一のシステムに統合することを望むより小さいサービスプロバイダに、適応性を与えることができる。セッションボーダコントローラ２００は、アクセスまたは相互接続ボーダに使用されているいくつかの標準ＩＭＳ機能を統合することができ、次世代サービス提供アーキテクチャとの統合を簡単にする。
【００４９】
セッションボーダコントローラ２００は、サービスプロバイダアクセスボーダ（企業の位置に面するボーダ、および住宅またはケーブル加入者によって使用されるインターネット、３Ｇ／４Ｇモバイルなどの公衆アクセスネットワーク、または固定回線ネットワーク）に配置される場合、サービスインフラストラクチャの新しいサービスの構築および統合を可能にすることができる。いくつかの例において、セッションボーダコントローラ２００は、サービス範囲、信頼性、およびユーザの体験品質を最大化すると共に、悪意の脅威または同様に危険な非悪意の脅威からサービス提供インフラストラクチャを保護する。
【００５０】
相互接続ボーダ（サービスプロバイダネットワーク間のボーダ）にセッションボーダコントローラ２００を使用して、次世代ＩＭＳまたはＩＰサービスの初期提供または拡張を加速することができ、時分割多重化（ＴＤＭ）コストの削減およびサービスプロバイダパートナーシップの拡張を支援する。セッションボーダコントローラ２００は、サービスプロバイダ相互接続のための重要な機能、例えば、高度に変更可能且つ柔軟なルーティング、並びにハードウェアによって加速されたセキュリティおよびトランスコーディングを与えることができる。
【００５１】
いくつかの例において、セッションボーダコントローラ２００は、包括的なマルチプロトコルシグナリング、プログラム可能性、制御機能および特徴を提供するＡｃｍｅパケットＯＳに基づく。
【００５２】
セッションボーダコントローラ２００は、ＳＩＰ、ＳＩＰ−Ｉ、ＳＩＰ−Ｔ、Ｄｉａｍｅｔｅｒ、Ｈ．３２３、ＭＧＣＰ、Ｈ．２４８、メッセージセッション中継プロトコル（ＭＳＲＰ）、およびリアルタイムストリーミングプロトコル（ＲＴＳＰ）を含む一般に使用されるＩＰシグナリングプロトコルをサポートするように構成されることができる。これによって、サービスプロバイダは、サービスを多数のエンドポイントに拡張することができ、相互接続ボーダを介してサービスを提供することができる。広範なシグナリングプロトコル相互接続機能（ＩＷＦ）によって、サービスプロバイダは、ネットワーク内のシグナリングトラフィックを統合することができる。これによって、必要なネットワーク要素の数を低減し、管理を単純化し、資本および運用費用を低減することができる。また、セッションボーダコントローラ２００によって、次世代ＳＩＰをレガシーネットワークおよびエンドポイントと統合することができ、サービス収益を最大化することができる。
【００５３】
セッションボーダコントローラ２００は、ＳＩＰを実装することによって、相互運用性、成熟性、および機能性を提供することができる。しばしばベンダ固有メッセージおよび応答コードを提供するＳＩＰ実装間のセッションシグナリングを正規化するために、セッションボーダコントローラ２００は、広範なシグナリングプログラマ可能性を含むことができる。これは、ＳＩＰ、セッション記述プロトコル（ＳＤＰ）、およびＤｉａｍｅｔｅｒヘッダに見られる情報を含むプロトコルヘッダまたはペイロード内の要素を検査または修正する権限を与える。
【００５４】
いくつかの例において、セッションボーダコントローラ２００は、完全なバックツーバックユーザエージェント（Ｂ２ＢＵＡ）アプローチを実装する。Ｂ２ＢＵＡは、セッションボーダコントローラ２００を通る各セッションを離散的なセグメントに分割する。このようにして、セッションボーダコントローラ２００は、各エンドポイントのセッション状態を同時に維持することができ、各エンドポイントの挙動または構成を修正することなく、エンドツーエンドセッションを介して、広範囲の制御機能を適用することができる。
【００５５】
いくつかの例において、セッションボーダコントローラ２００は、ＩＭＳシームレス統合を行うために、多くの３ＧＰＰ準拠機能およびインターフェイスを実装する。また、セッションボーダコントローラ２００は、標準ＩＭＳ要件を超えるセキュリティ、相互運用性、および信頼性を向上させるための追加性能を含むことができる。
【００５６】
いくつかの例において、セッションボーダコントローラ２００は、ＩＭＳセッションを含むＳＩＰ、リアルタイムトランスポートプロトコル（ＲＴＰ）、およびメッセージセッション中継プロトコル（ＭＳＲＰ）トラフィックフローを完全に制御するために、アクセスおよび相互接続ボーダに完全なＩＭＳ機能を提供する。セッションボーダコントローラ２００は、ＩＭＳアクセスボーダにおいて、シグナリングおよびメディアに関連するＩＭＳ機能、例えば、プロキシコールセッション制御機能（Ｐ−ＣＳＣＦ）、緊急コールセッション制御機能（Ｅ−ＣＳＣＦ）、ブレイクアウトゲートウェイ制御機能（ＢＧＣＦ）、アクセスゲートウェイ（ＡＧＷ）、アクセス転送制御機能（ＡＴＣＦ）、およびアクセス転送ゲートウェイ（ＡＴＧＷ）を実装することができる。ＩＭＳ  Ｉ−ＳＢＣ機能は、相互接続ボーダ制御機能（Ｉ−ＢＣＦ）、ＩＷＦ、および相互接続ボーダゲートウェイ機能（Ｉ−ＢＧＦ）／変換ゲートウェイ（ＴｒＧＷ）を含む。
【００５７】
ブロードバンドインターネットの汎用性およびスマートフォンおよびタブレットの普及によって、従業員が常にオンラインで共同作業する新たな多重接続企業を構築することができる。一部の企業は、遠隔通信サービスを実装することによって、移動中の従業員の生産性および共同作業を改善する。しばしばＯＴＴ（over-the-top）通信と呼ばれるこれらのサービスは、セルラサービスの電話のみ制約を排除し、モバイルデータネットワークを介して完全なＵＣ機能（音声、映像、出席、およびインスタントメッセージング）を企業経営者に与える。しかしながら、接続障害、セキュリティ懸念、または悪いサービス品質は、ＯＴＴの展開を妨害し、ユーザの満足を損ない、ヘルプデスクに負担をかける。
【００５８】
いくつかの例において、トンネルセッション制御機能（ＴＳＣＦ）は、共通のＯＴＴ展開および動作の課題を軽減するように構成されたセッションボーダコントローラ２００上のイネーブル機能である。ＴＳＣＦは、ＢＹＯＤ（Bring Your Own Device）およびＦＭＣ（Fixed Mobile Convergence）取り組みを含む多種多様なＯＴＴ通信アプリケーションには有用である。
【００５９】
セッションボーダコントローラ２００は、ロードバランサ、例えば、加入者識別ロードバランサと連動して配置されると、ＳＢＣクラスタのメンバとして機能することができる。ＳＢＣクラスタは、クラスタ全体の加入者トラフィックの負荷を動的且つ適応的に分散することによって、アーキテクチャを向上させることなくまたはネットワークを破壊することなく、数百万の加入者をサポートするようにサービスの規模を変更することができる。また、ＳＢＣクラスタは、従来の３層／５層ウェブロードバランサまたはＳＩＰリダイレクトサーバで達成できない冗長性および管理容易性の改善を実現する。
【００６０】
いくつかの例において、セッションボーダコントローラ２００は、仮想ネットワーク機能（ＶＮＦ）として実行されてもよい。セッションボーダコントローラ２００は、任意の適切なハイパーバイザ、例えばオラクル（登録商標）仮想マシン（ＯＶＭ）、カーネルベースの仮想マシン（ＫＶＭ）、ＶＭウエアＥＳＸｉをサポートするように構成されてもよい。ＶＮＦとして実行される場合、セッションボーダコントローラ２００は、独立型インスタンスとして配置されまたは統合されたネットワーク機能仮想化（ＮＦＶ）環境に配置され、特定の目的のために構築されたプラットフォーム上で配置される場合と同じレベルの機能性、セキュリティ、相互運用性、および信頼性を提供する。仮想化セッションボーダコントローラのインスタンスは、特定の目的のために構築されたプラットフォーム上の同等物と共にクラスタ化され、「ハイブリッドクラスタ」として知られるものを生成し、徐々の導入およびより大きな配置柔軟性およびネットワーク機敏性を提供する。
【００６１】
図３は、図１のシステム１００を含む例示的な通信環境３００を示す図である。図３に示すように、モバイルゲートウェイは、インテリジェントエッジオンプレミス機能と呼ばれてもよい。ＳＤ−ＷＡＮオーバーレイは、インテリジェントエッジオーバーレイと呼ばれてもよい。
【００６２】
通信ネットワークのコアネットワークの集中機能は、集中場所、例えば、クラウドコンピューティングシステム上に配置されてもよい。ユーザプレーン機能またはコアネットワークの全体は、モバイルネットワーク事業者（ＭＮＯ）のデータセンタまたはＭＮＯの顧客データセンタに配置されてもよい。図３に示すシステムを用いて、インテリジェントエッジ機能を活用することによって、エッジおよびコアにわたってトラフィックを最適に送達することができる。
【００６３】
インテリジェントエッジシステムは、以下の特徴のうち、１つ以上を有することができる。すなわち、インテリジェントエッジシステムは、１）ＳＤ−ＷＡＮ技術に基づき、２）公衆ブロードバンドを利用することによってコストを削減し、柔軟性を増大させ、３）企業グレードのセキュリティおよびサービス品質の必要性に対処し、４）クラウド移行時にアプリケーションの安定性および性能を維持し、５）より短いリードタイムで展開することによってビジネス機敏性をサポートし、６）エンドツーエンド統合によってＶＮＦサービスを含むｕＣＰＥへの進行性移行をサポートする。
【００６４】
図３に示すように、１つ以上のモバイルゲートウェイは、様々なオンプレミス場所、例えば、データセンタ、キャンパス、事業所、および遠隔サイトに配置されてもよい。図３は、図１のシステム１００に実装され得るインテリジェントエッジオンプレミス機能としてのモバイルゲートウェイ３０２を示す。
【００６５】
インテリジェントエッジオーバーレイは、様々な種類のネットワーク、例えば、ＭＰＬＳ、ブロードバンドインターネット、および４Ｇ／ＬＴＥネットワークを用いて、例えば制御メッセージを交換するための安全な制御プレーンを実装することができる。モバイルゲートウェイ３０２は、インテリジェントエッジサービスゲートウェイ３０４と呼ばれるゲートウェイを介して、遠隔システムと通信する。遠隔システムは、例えば、クラウドコントローラ機能３０６を含むクラウドコンピューティングシステムであってもよい。
【００６６】
遠隔システムは、ＳＤ−ＷＡＮオーケストレータ３０８を含むことができる。ＳＤ−ＷＡＮオーケストレータ３０８は、例えば、サービス事業者から、インテリジェントエッジオーバーレイを設定するための入力を受信するように構成されたグラフィカルユーザインターフェイスとして実装された顧客ポータル３１０を含むことができる。遠隔システムは、通信動作モニタ（ＣＯＭ）３１２を含むことができる。
【００６７】
いくつかの例において、ＣＯＭ３１２は、相関エンジンに接続されたネットワークプローブを用いて、ネットワークから発信されるメッセージを捕捉するように構成され、結果は、ウェブ構成ＧＵＩを介して見ることができる。ネットワークプローブは、例えば、商用オフザシェルフ（ＣＯＴＳ）ハードウェア上で動作するセッションモニタプローブとして、およびモバイルゲートウェイ３０２に一体化されたソフトウェア要素として利用可能である。
【００６８】
ＣＯＭ３１２は、リアルタイムで完全なエンドツーエンド相関のコールを提供するように構成することができる。ＣＯＭ３１２は、コールおよび登録のネットワーク全体ビュー、グローバルＫＰＩおよび統計、ネットワーク機器の統計および情報、並びにユーザグループおよびトランク情報を提供することができる。ＣＯＭ３１２は、ネットワークのドリルダウンを提供し、完全なプロトコル詳細、生捕捉、およびエンドツーエンド登録を含むコールフローの図形分析を提供する。
【００６９】
動作中、ＳＤ−ＷＡＮオーケストレータ３０８は、ＳＤ−ＷＡＮオーケストレータ３０８に関連するＳＤ−ＷＡＮエッジおよびＳＤ−ＷＡＮゲートウェイ、例えばモバイルゲートウェイ３０２およびインテリジェントエッジサービスゲートウェイ３０４の装置管理を提供することができる。例えば、ＳＤ−ＷＡＮオーケストレータ３０８は、構成、起動およびＩＰアドレスの管理を実行することができ、モバイルゲートウェイ３０２およびインテリジェントエッジサービスゲートウェイ３０４にポリシーをプッシュすることができる。
【００７０】
いくつかの例において、ＳＤ−ＷＡＮオーケストレータ３０８は、ＳＤ−ＷＡＮエッジおよびＳＤ−ＷＡＮゲートウェイとの接続を維持することによって、異なるＷＡＮ間のＳＤ−ＷＡＮトンネルの動作状態を特定する。例えば、ＳＤ−ＷＡＮオーケストレータ３０８は、各ＳＤ−ＷＡＮトンネルのＱｏＳ性能メトリック、または各装置から各ＳＤ−ＷＡＮトンネルのＱｏＳ性能メトリックを取得することができる。ＳＤ−ＷＡＮオーケストレータ３０８は、例えば、ＱｏＳ性能メトリックを使用して、トラフィックを調整することができる。
【００７１】
いくつかの例において、ＳＤ−ＷＡＮオーケストレータ３０８は、ＷＡＮ最適化を実行することができ、またはＷＡＮ最適化ポリシーをモバイルゲートウェイ３０２およびインテリジェントエッジサービスゲートウェイ３０４にプッシュすることができる。ＷＡＮ最適化は、例えば、ＴＣＰフロー上で実行することができる。ＷＡＮ最適化は、例えば、同一の場所に位置する複数のユーザがデータを要求する場合に、ＷＡＮ全体のバルクファイル転送トラフィック効率を高めることができる。ＷＡＮ最適化は、ルールごとに実行されてもよく、ＴＣＰオフロード、データ重複排除およびデータ圧縮を実行することを含むことができる。
【００７２】
データ圧縮は、ペイロードサイズを減少して、ＷＡＮにわたってより多くのデータを配信することによって、影響を受けずにアプリケーションを伝送することができ、より多くのトラフィックを処理するができる。データ重複排除は、ＷＡＮ上でデータの冗長コピーを排除し、記憶のオーバーヘッドを低減する圧縮形態である。
【００７３】
フローのＷＡＮ最適化を有効化すると、ＴＣＰ終端は、単一のＴＣＰ接続を、ＳＤ−ＷＡＮオーケストレータ３０８によって管理および維持され得る３つの別個の接続に分割する。これによって、利用可能な帯域幅を最大化することができ、ＷＡＮ全体にわたって信頼できるデータを転送することができる。また、再送信を処理するようにＳＤ−ＷＡＮノードを構成することができるため、ＷＡＮを介して損失パケットの再送信に関連する負担を低減することができる。その結果、コア機能を処理するためのリソースを解放すると共に、ユーザの体験品質（ＱｏＥ）を改善することができる。
【００７４】
図４は、通信ネットワークの例示的な通信環境を示す図である。図４は、図３に示すインテリジェントエッジアーキテクチャを利用して、ハイブリッド配置モデルをサポートする１つの方法を示す。図４に示すように、ユーザプレーンは、通信ネットワークのエッジに配置される。
【００７５】
通信ネットワークは、クラウドコンピューティングシステム上で実装され、オーバーレイネットワーク、ポリシー、ルート最適化などの集中管理を行うように構成され得るインテリジェントエッジ（ＩＥ）制御機能を含む。通信ネットワークは、各位置のＩＥオンプレミス機能（ＩＥ−ＯＰＦ）を含む。各ＩＥ−ＯＰＦは、例えば、リンク負荷分散、パケット転送、およびリンクを行うように構成することができる。
【００７６】
通信ネットワークは、ＩＥサービスゲートウェイ（ＩＥ−ＳＧ）を含み、ＩＥサービスゲートウェイは、クラウドコンピューティングシステムに実装され、例えば、クラウドデータセンタのトンネル接続を中止するように構成されてもよい。通信ネットワークは、各位置のＩＥエッジプラットフォームを含む。ＩＥエッジプラットフォームは、ＩＥ−ＯＰＦをホストすることができ、他のコアネットワークコンポーネント、例えばＰＧＷをホストすることもできる。
【００７７】
図４に示すトラフィックフローは、ユーザプレーンエッジオフロードの例を示す。以下のフロー例は、図４に示されている。
−  インテリジェントエッジは、ＩＥ制御機能（ラベル「Ｂ」）からのポリシーおよび制御を用いて、各ＩＥ−ＯＰＦとの間およびＩＥ−ＯＰＦとＩＥ−ＳＧとの間のトンネル（ラベル「Ａ」）を確立する。
−  Ｓ／ＰＧＷ−ＣとＳ／ＰＧＷ−Ｕとの間の制御信号は、移動体通信（ラベル「Ｃ」）のパケットデータフローを確立する。
−  ３ＧＰＰ  Ｓ５インターフェイスと同様の能力を利用して、任意のＳ／ＰＧＷでパケットデータフローを終結することができ、本質的に、Ｓ／ＰＧＷに入る任意のフローが任意のＳ／ＰＧＷ（ラベル「Ｄ」）から出ることができる。
【００７８】
さらに、標準移動性信号（３ＧＰＰ  Ｓ１インターフェイス）は、Ｓ／ＰＧＷを介して、無線アクセスネットワーク（ＲＡＮ）からルーティングされ、ＩＥトンネルを介してクラウドに戻され、ＭＭＥ上で終端されることができる。
【００７９】
モバイルユーザ装置は、任意のＳ／ＰＧＷ−Ｕを用いて宛先に到達することができる。例えば、以下のシナリオが可能である。
−  装置データは、ＲＡＮを介して、キャンパス１のＳ／ＰＧＷ−Ｕに配信され、ローカルＬＡＮに終結する。
−  装置データは、ＲＡＮを介して、キャンパス１のＳ／ＰＧＷ−Ｕに配信され、キャンパス１とクラウドとの間のＩＥトンネルを利用して、オラクルクラウドＳ／ＰＧ−Ｕを介して、ＩｏＴ（Internet of Things）ＣＳに終結する。
−  装置データは、ＲＡＮを介して、キャンパス１のＳ／ＰＧＷ−Ｕに配信され、キャンパス１とキャンパス２との間のトンネルを利用して、キャンパス２のＳ／ＰＧＷ−Ｕを介してキャンパス２に終結する。
【００８０】
５Ｇの場合、フローは、以下の異なる機能を除き、上述したものと同様である。すなわち、ＭＭＥは、ＡＭＦによって置換され、Ｓ／ＰＧＷ−Ｃは、ＳＭＦによって置換され、Ｓ／ＰＧＷ−Ｕは、ＵＰＦによって置換される。
【００８１】
５Ｇは、このアーキテクチャにおいて活用され得るＵＰＦ連鎖を含むより分散的な移動性フレームワークを可能にする。例えば、ＳＭＦは、ＩＥコントローラ機能と直接協働することによって、モバイル接続の制御およびポリシーをより良く管理することができる。ＵＰＦは、モバイルトラフィックを制御するためのＩＥ−ＯＰＦにより緊密に統合されてもよく、取り外されてもよい。
【００８２】
図５は、モバイル装置接続を提供するための例示的な方法５００を示す流れ図である。方法５００は、１つ以上のプロセッサ上に実装されたモバイルゲートウェイ、例えば、図１のモバイルゲートウェイ１０６によって実行される。モバイルゲートウェイは、例えば、オンプレミスアクセスネットワークと集中コントローラを備える遠隔システムとの間のエッジに位置する通信制御プレーンの信号を制御するように構成されたＳＢＣであってもよい。
【００８３】
方法５００は、モバイルゲートウェイのオンプレミス通信ネットワークコアを用いて、複数のモバイルユーザ装置のモバイルデータセッションを確立し、オンプレミス通信ネットワークコアを介してモバイルユーザ装置間の通信を可能にすることを含む（５０２）。方法５００は、ソフトウェア定義広域ネットワーク（ＳＤ−ＷＡＮ）コントローラを用いて、モバイルユーザ装置を外部通信ネットワークに接続するためのＳＤ−ＷＡＮオーバーレイネットワークを確立することを含む（５０４）。
【００８４】
いくつかの例において、方法５００は、ＳＤ−ＷＡＮコントローラを用いて、サービスゲートウェイを含む遠隔システムと共に、データ通信ネットワークを介してトンネルを確立することと、トンネルを介して遠隔システムと制御信号を交換することによって、モバイルデータセッションを確立することとを含む。
【００８５】
方法５００は、ＳＤ−ＷＡＮオーバーレイネットワークを用いて、モバイルユーザ装置のサービス品質（ＱｏＳ）およびルート最適化を提供すること（５０６）を含む。ＳＤ−ＷＡＮオーバーレイネットワークを用いてモバイルユーザ装置のＱｏＳおよびルート最適化を提供することは、モバイルデータセッションに優先順位を付け、モバイルデータセッションの優先順位に従ってＱｏＳを維持するように、ＳＤ−ＷＡＮオーバーレイネットワークを介してモバイルデータセッションを再ルーティングすることを含むことができる。
【００８６】
いくつかの例において、オンプレミス通信コアは、パケットデータネットワーク（ＰＤＮ）ゲートウェイ（ＰＧＷ）を含む。オンプレミス通信コアは、移動性管理エンティティ（ＭＭＥ）、サービングゲートウェイ（ＳＧＷ）、ホーム加入者サーバ（ＨＳＳ）、およびアクセスネットワーク発見および選択機能（ＡＮＤＳＦ）を備える進化型パケットコア（ＥＰＣ）を含むことができる。
【００８７】
いくつかの例において、オンプレミス通信コアは、アクセス管理機能（ＡＭＦ）、セッション管理機能（ＳＭＦ）、およびユーザプレーン機能（ＵＰＦ）を備える５Ｇコアを含むことができる。また、方法５００は、ＳＤ−ＷＡＮコントローラを用いて、ＳＭＦと共に、モバイル接続制御およびポリシーを管理することを含むことができる。
【００８８】
上記で特定の例示および特徴を説明してきたが、特定の特徴に対して単一の例示のみを説明したにも関わらず、これらの例示および特徴は、本開示の範囲を制限することを意図していない。特に別段の記載がない限り、本開示に提供された特徴の例示は、限定的ではなく、例示的であることを意図している。当業者なら分かるように、上記の説明は、代替物、修正物、および均等物を網羅することを意図している。
【００８９】
本開示の範囲は、本明細書に（明示的にまたは暗黙的に）開示される任意の特徴または特徴の組み合わせ、または開示された任意の特徴の一般化を含む（これらの特徴または一般化が本明細書に記載された課題のいずれかまたは全てを緩和するか否かに関わらず）。したがって、本願（または本願の優先権を主張する出願）を審査する間に、これらの特徴の任意の組み合わせを含むように、新しい請求項を作成することができる。特に、添付の特許請求の範囲を参照して、添付の特許請求の範囲に列挙された特定の組み合わせに限らず、従属請求項に記載の特徴を独立請求項に記載の特徴に組み合わせることができ、独立請求項に記載の特徴を任意の適切な方法で組み合わせることができる。
【図１Ａ】
2021534692.tif 000003
【図１Ｂ】
2021534692.tif 000004
【図１Ｃ】
2021534692.tif 000005
【図２】
2021534692.tif 000006
【図３】
2021534692.tif 000007
【図４】
2021534692.tif 000008
【図５】
2021534692.tif 000009
【国際調査報告】
2021534692.tif 000010
2021534692.tif 000011